(57)【要約】【課題】本発明は、マルチビーム化された電子写真印刷装置において、印刷制御装置の負担を大きくすることなく、画像形成装置の機能として印刷画像を副走査方向に解像度の１ドット単位で偏移することを課題とする。【解決手段】本発明は、一回の走査で複数の走査光により感光体上に静電潜像を形成するマルチビーム走査光学部と、トナーを前記感光体表面に形成された静電潜像に付着させて可視画像を形成する現像機と、前記マルチビーム走査光学部を制御する制御手段により構成された画像形成装置と、前記制御手段に印刷画像データを送信する印刷制御装置とにより構成された電子写真印刷装置において、前記画像形成装置にて印刷画像を副走査方向に対し、解像度の１ドット単位に偏移する機能を備えたことを特徴とする。【選択図】図１
2004255844.tif 000002
【特許請求の範囲】
【請求項１】
一回の走査で複数の走査光により感光体上に静電潜像を形成するマルチビーム走査光学部と、トナーを前記感光体表面に形成された静電潜像に付着させて可視画像を形成する現像機と、前記マルチビーム走査光学部を制御する制御手段により構成された画像形成装置と、前記制御手段に印刷画像データを送信する印刷制御装置とにより構成された電子写真印刷装置において、前記画像形成装置にて印刷画像を副走査方向に対し、解像度の１ドット単位に偏移する機能を備えたことを特徴とする電子写真印刷装置。
【発明の詳細な説明】
【０００１】
【発明の属する技術分野】
本発明は、印刷制御装置と画像形成装置とより構成され、印刷制御装置より画像形成装置に印刷画像データを送信するレーザプリンタ等の電子写真印刷装置に関するものである。
【０００２】
【従来の技術】
電子写真方式を用いるプリンタでは、印刷制御装置から画像形成装置に印刷画像データを送信し、画像形成装置にて印刷画像データにより感光体上に静電潜像を可視化させた後、トナー画像を用紙上に転写する。この時、トナー画像は用紙のある一定の位置を基準として転写されるが、紙送りを行う機構部の機械的なばらつきや摩耗等の経時変化の影響により、印刷位置ずれを生じることがある。
【０００３】
従って、前記要因による副走査方向の印刷位置ずれを補正するため、副走査方向同期信号に対する走査方向同期信号のパルス数をカウントして副走査方向の印刷開始位置を補正する機能を搭載している。しかし、マルチビーム方式の電子写真印刷装置の場合、一走査で複数の走査光により静電潜像を形成するため、走査方向同期信号による副走査方向の印刷位置補正では、マルチビーム数単位での位置補正となる。そこで、余白データを付与することにより、マルチビーム数単位によらない副走査方向の印刷位置補正が考案されている（例えば、特許文献１参照。）。
【０００４】
従来のマルチビーム方式の電子写真印刷装置において、画像形成装置にて印刷画像を副走査方向に解像度の１ドット単位のオフセットを行う方法について図１と図５を用いて以下説明する。
【０００５】
２ビームレーザを搭載するマルチビーム走査光学部１７を持つ電子写真印刷装置１３が副走査方向２６に印刷画像２８を偏移する場合、印刷制御装置１４は画像形成装置１５から送信される画像送信要求信号１９に対し余白データ４３送信することにより、副走査方向同期信号４０を基準に走査方向同期信号２２をカウントするだけでは位置補正できない解像度の１ドット単位で副走査方向２６に印刷画像２８を偏移する。
【特許文献１】
特開２００２−６７３８３号公報
【０００６】
【発明が解決しようとする課題】
近年、プリンタ、複合機をはじめとする電子写真印刷装置では、印刷速度の高速化、画質の高解像度化に対応するため、画像形成装置の露光用レーザとして、一回の走査で複数のラインの印刷画像を形成できるマルチビーム方式が採用されている。
【０００７】
前述したように、従来は露光用レーザにマルチビーム方式を採用する場合、一回の走査で複数ラインの印刷画像を形成するため、マルチビーム数が２の場合、副走査方向の印刷画像の偏移は解像度の２ドット単位となる。これを印刷制御装置の機能により解像度の１ドット単位とするためには、印刷制御装置にて印刷画像データに１ライン単位で余白データを挿入することが必要となり、印刷制御装置の回路負担を大きくすることになる。
【０００８】
本発明は、印刷制御装置の回路負担を大きくすることなく、マルチビーム化された高速、高解像度のレーザプリンタ、複合機等において、印刷画像を副走査方向に解像度の１ドット単位で偏移することを目的とする。
【０００９】
【課題を解決するための手段】
上記の目的は、一回の走査で複数の走査光により感光体上に静電潜像を形成するマルチビーム走査光学部と、トナーを前記感光体表面に形成された静電潜像に付着させて可視画像を形成する現像機と、前記マルチビーム走査光学部を制御する制御手段により構成された画像形成装置と、前記制御手段に印刷画像データを送信する印刷制御装置とにより構成された電子写真印刷装置において、前記画像形成装置にて印刷画像を副走査方向に対し、解像度の１ドット単位に偏移する機能を備えることによって達成される。
【００１０】
【発明の実施の形態】
本発明を、電子写真法レーザプリンタに適用した場合の実施例について図１、図２を用いて以下説明する。
【００１１】
電子写真印刷装置は、大きく分けて用紙搬送部、印写部、走査光学部、定着部からなる画像形成装置と、画像形成装置の上位装置として画像形成装置の制御および印刷画像データ形成を主な機能とする印刷制御装置とより構成される。
【００１２】
画像形成装置１５は、印刷用紙２７を搬送し、用紙上に印刷画像２８を形成することを主な機能としており、以下のようなプロセスで印刷を行なう。感光体１は、帯電器２のコロナ放電により表面を−極性に帯電した後、画像形成装置１５からの制御信号に従い、マルチビーム走査光学部１７のレーザから走査光が出力される。これによって、感光体１上には、静電潜像が形成され、現像機５によりトナー像を形成する。用紙搬送部によって搬送された印刷用紙２７は、転写装置７にて感光体１上のトナー像６を転写後、定着機１１で定着され、印刷画像２８となる。定着後の印刷用紙２７は、その後、用紙搬送部によって所定の収納部へと搬送される。
【００１３】
次に制御装置について説明する。
【００１４】
印刷制御装置１４から画像形成装置１５へと送信される画像信号（パラレルライン）１８は８ビットのデータ幅を持ち、露光用レーザは２ビームレーザで構成される。印刷画像２８を形成する場合、画像形成装置１５は印刷制御装置１４に画像送信要求信号１９を送信する。印刷制御装置１４は画像送信要求信号１９を受信すると一定時間以内に１ライン分の画像信号（パラレルライン）１８を画像形成装置１５に送信する。ここで、画像形成装置１５は２ビームレーザのマルチビーム走査光学部１７を持つため、一回の走査で２ラインの露光１信号２０と露光２信号２１により感光体１上に静電潜像を形成する。そのため、画像形成装置１５は走査方向同期信号２２の１周期の間に２ライン分の画像信号を一時的に記憶しておく機能を有している。画像形成装置１５は一時的に記憶した画像信号をパラレル−シリアル変換し、露光１信号２０および露光２信号２１として走査光学部１７に送信する。
【００１５】
副走査方向２６に印刷画像２８を偏移する場合、印刷制御装置１４は画像形成装置１５から送信される副走査方向同期信号４０（図３参照）を基準に、走査方向同期信号２２単位で印刷画像２８をずらすことにより、副走査方向２６に印刷画像２８を偏移する。
【００１６】
しかし、２ビームの露光用レーザをもつ電子写真印刷装置１３は、一回の走査で２ラインの印刷画像を形成するため、走査方向同期信号２２による副走査方向２６の印刷画像２８の偏移は２ドット単位となる。
【００１７】
２ビームの露光用レーザをもつ電子写真印刷装置１にて、副走査方向２６に解像度の１ドット単位で印刷画像２８を偏移する方法について図３、図４を用いて以下に説明する。
【００１８】
画像形成装置の制御部１６は２ライン分の画像信号（パラレルライン）１８を記憶できるラインメモリ１（露光１）３３とラインメモリ１（露光２）３４を搭載している。更に、ラインメモリは２段構成となっており、２段目のラインメモリとしてラインメモリ２（露光１）３５とラインメモリ２（露光２）３６を搭載している。一段目のラインメモリは画像信号（パラレルライン）１８に接続され、印刷制御装置から送信される画像信号を記憶する。一段目のラインメモリに記憶された２ライン分の画像信号は直ちに二段目のラインメモリに書き込まれる。二段目のラインメモリに書き込まれた画像信号は、メモリ２コントローラ３２により、走査方向同期信号２２を基準にドットクロック回路３８より出力されるドットクロック信号を一定数カウント後、パラレル−シリアル変換回路３７に出力され、露光１信号２０および露光２信号２１に変換される。
【００１９】
副走査方向への印刷画像の偏移は印刷画像偏移Ｉタイミング４１に示すように走査方向同期信号２２に同期して２ライン分の画像信号（パラレルライン）１８を画像送信要求信号１９により要求すると、２ドット単位となる。そこで、印刷画像偏移ＩＩタイミング４２に示すように印刷画像の最初の１ラインは走査方向同期信号２２に同期して１ライン分の画像信号（パラレルライン）１８を画像送信要求信号１９により要求し、露光２用のラインメモリ１（露光２）３４に書き込む。そして、次の走査方向同期信号２２に同期して、露光２信号２１として出力する。従って、露光１信号２０に画像信号はなく、露光２信号２１により印刷画像の１ライン目の画像形成を始めることができる。以上により、副走査方向への解像度の１ドット単位での印刷画像の偏移を行う。
【００２０】
【発明の効果】
以上のように、本発明によれば、印刷制御装置の機能によらず、高速、高解像度なレーザプリンタ等の電子写真印刷装置において、解像度の１ドット単位での副走査方向への印刷画像の偏移を実現することができる。
【図面の簡単な説明】
【図１】本発明の電子写真印刷装置の構成図。
【図２】同期信号と印刷画像との関係を示す説明図。
【図３】本発明の電子写真印刷装置の制御部構成図。
【図４】本発明の実施例を示すタイミングチャート。
【図５】同期信号と印刷画像との関係を示す説明図。
【符号の説明】
１：感光体、２：帯電機、３：レーザ１露光、４：レーザ２露光、５：現像機、６：トナー像、７：転写装置、８：プレチャージ、９：イレーズランプ、１０：クリーナ、１１：定着機、１２：用紙搬送方向、１３：電子写真印刷装置、１４：印刷制御装置、１５：画像形成装置、１６：制御部、１７：マルチビーム走査光学部、１８：画像信号（パラレルライン）、１９：画像送信要求信号、２０：露光１信号、２１：露光２信号、２２：走査方向同期信号、２５：走査方向、２６：副走査方向、２７：印刷用紙、２８：印刷画像、２９：逓倍回路、３０：ライン同期信号、３１：メモリ１コントローラ、３２：メモリ２コントローラ、３３：ラインメモリ１（露光１）、３４：ラインメモリ１（露光２）、３５：ラインメモリ２（露光１）、３６：ラインメモリ２（露光２）、３７：パラレル−シリアル変換回路、３８：ドットクロック回路、３９：ドットクロック信号、４０：副走査方向同期信号、４１：印刷画像偏移Ｉタイミング、４２：印刷画像偏移ＩＩタイミング、４３：余白データ。
【図１】
2004255844.tif 000003
【図２】
2004255844.tif 000004
【図３】
2004255844.tif 000005
【図４】
2004255844.tif 000006
【図５】
2004255844.tif 000007